(57)【要約】【課題】  強調表示すべき画像あるいはタイプ入力テキストまたは手書きテキストの決定された高さに応じて電子ハイライタのカーソルの高さを自動調整することを可能にする方法およびシステムを提供すること。【解決手段】  電子ペンやマウス操作デバイスなどの電子ハイライタのハイライタ太さまたはカーソル高さは、ユーザが強調表示しているテキストまたは画像に基づいて自動調整される。ユーザが、強調表示すべきテキストまたは画像上に電子ハイライタをフォーカスすると、テキストまたは画像の高さが決定され、ハイライタカーソルの高さまたは太さが自動調整される。【選択図】  図４
2005267648.tif 000002
【特許請求の範囲】
【請求項１】
電子ハイライタデバイスの電子インクの高さを自動調整する方法であって、
電子ペンを電子ハイライタデバイスとして機能するように選択するステップと、
コンピュータによって表示されたオブジェクトに前記電子ペンを係合するステップと、
コンピュータによって表示された前記オブジェクトの高さを決定するステップと、
前記電子ペンの前記電子インクの高さを前記決定された高さに設定するステップと
を含むことを特徴とする方法。
【請求項２】
コンピュータによって表示されたオブジェクトに前記電子ハイライタペンを係合するステップは、コンピュータによって表示されたテキストセレクションに前記電子強調表示デバイスを係合するステップを含むことを特徴とする請求項１に記載の方法。
【請求項３】
コンピュータによって表示された前記テキストセレクションはタイプ入力テキストセレクションを含むことを特徴とする請求項２に記載の方法。
【請求項４】
コンピュータによって表示された前記テキストセレクションは手書きテキストセレクションを含むことを特徴とする請求項２に記載の方法。
【請求項５】
コンピュータによって表示されたオブジェクトに前記電子ハイライタペンを係合するステップは、コンピュータによって表示された画像に前記電子ハイライタデバイスを係合するステップを含むことを特徴とする請求項１に記載の方法。
【請求項６】
コンピュータによって表示されたオブジェクトに前記電子ハイライタペンを係合するステップは、コンピュータによって表示された前記オブジェクトに前記電子ペンの先端を接触させるステップを含むことを特徴とする請求項１に記載の方法。
【請求項７】
コンピュータによって表示されたオブジェクトに前記電子ハイライタペンを係合するステップは、コンピュータによって表示されたテキストセレクションに前記電子ペンの先端を接触させるステップを含むことを特徴とする請求項６に記載の方法。
【請求項８】
コンピュータによって表示されたテキストセレクションに前記電子ペンの先端を接触させるステップは、コンピュータによって表示されたタイプ入力テキストセレクションに前記電子ペンの先端を接触させるステップを含むことを特徴とする請求項７に記載の方法。
【請求項９】
コンピュータによって表示されたテキストセレクションに前記電子ペンの先端を接触させるステップは、コンピュータによって表示された手書きテキストセレクションに前記電子ペンの先端を接触させるステップを含むことを特徴とする請求項７に記載の方法。
【請求項１０】
コンピュータによって表示されたオブジェクトに前記電子ペンの先端を接触させるステップは、コンピュータによって表示された画像に前記電子ペンの先端を接触させるステップを含むことを特徴とする請求項６に記載の方法。
【請求項１１】
コンピュータによって表示された前記オブジェクトの高さを決定するステップは、コンピュータによって表示されたテキストセレクションの高さを決定するステップを含むことを特徴とする請求項１に記載の方法。
【請求項１２】
コンピュータによって表示された前記テキストセレクションの高さを決定するステップは、コンピュータによって表示されたタイプ入力テキストセレクションの高さを決定するステップを含むことを特徴とする請求項１１に記載の方法。
【請求項１３】
コンピュータによって表示された前記タイプ入力テキストセレクションの高さを決定するステップは、コンピュータによって表示された前記タイプ入力テキストセレクションのフォントサイズに基づいて、コンピュータによって表示された前記テキストセレクションの高さを決定するステップを含むことを特徴とする請求項１２に記載の方法。
【請求項１４】
コンピュータによって表示された前記テキストセレクションの高さを決定するステップは、コンピュータによって表示された手書きテキストセレクションの高さを決定するステップを含むことを特徴とする請求項１１に記載の方法。
【請求項１５】
コンピュータによって表示された手書きテキストセレクションの高さを決定するステップは、コンピュータによって表示された前記手書きテキストセレクションを備えるどの文字のアセンダまたはディセンダ文字セグメントの長さも考慮せずに、コンピュータによって表示された前記手書きテキストセレクションの平均的な高さを決定するステップを含むことを特徴とする請求項１４に記載の方法。
【請求項１６】
コンピュータによって表示された前記手書きテキストセレクションの高さを決定するステップは、コンピュータによって表示された前記手書きテキストセレクションを備えるどの文字のアセンダまたはディセンダ文字セグメントの長さをも含めた、コンピュータによって表示された前記手書きテキストセレクションの最大高さに基づいて、コンピュータによって表示された前記手書きテキストセレクションの高さを決定するステップを含むことを特徴とする請求項１４に記載の方法。
【請求項１７】
コンピュータによって表示された前記テキストセレクションが、コンピュータによって生成された罫線付き表示上に表示されている場合、コンピュータによって表示された前記テキストセレクションの高さを、コンピュータによって生成された前記表示上に表示された罫線の対の間の距離として決定することを特徴とする請求項１１に記載の方法。
【請求項１８】
コンピュータによって表示された前記オブジェクト上に、前記電子インクを前記決定された高さで塗るステップをさらに含むことを特徴とする請求項１に記載の方法。
【請求項１９】
電子ペンを電子ハイライタデバイスとして機能するように選択するステップは、電子マウス操作デバイスを電子ハイライタデバイスとして機能するように選択するステップを含み、
コンピュータによって表示されたオブジェクトに前記電子ペンを係合するステップは、コンピュータによって表示された前記オブジェクトの上に前記電子マウス操作デバイスのカーソルをフォーカスし、前記電子マウス操作デバイスをクリックして、コンピュータによって表示された前記オブジェクト上に電子インクが塗られるようにするステップを含むことを特徴とする請求項１に記載の方法。
【請求項２０】
電子ハイライタデバイスの前記電子インクの高さを自動調整する方法であって、
電子入力デバイスを電子ハイライタデバイスとして機能するように選択するステップと、
コンピュータによって表示されたオブジェクトに前記電子ハイライタデバイスを係合するステップと、
コンピュータによって表示された前記オブジェクトの高さを決定するステップと、
前記電子デバイスの前記電子インクの高さを前記決定された高さに設定するステップと
を含むことを特徴とする方法。
【請求項２１】
コンピュータによって表示されたオブジェクトに前記電子ハイライタデバイスを係合するステップは、コンピュータによって表示されたテキストセレクションに前記電子強調表示デバイスを係合するステップを含むことを特徴とする請求項２０に記載の方法。
【請求項２２】
コンピュータによって表示された前記テキストセレクションはタイプ入力テキストセレクションを含むことを特徴とする請求項２１に記載の方法。
【請求項２３】
コンピュータによって表示された前記テキストセレクションは手書きテキストセレクションを含むことを特徴とする請求項２１に記載の方法。
【請求項２４】
コンピュータによって表示されたオブジェクトに前記電子ハイライタデバイスを係合するステップは、コンピュータによって表示された画像に前記電子ハイライタデバイスを係合するステップを含むことを特徴とする請求項２０に記載の方法。
【請求項２５】
前記電子ハイライタデバイスは電子ペンを含むことを特徴とする請求項２０に記載の方法。
【請求項２６】
コンピュータによって表示されたオブジェクトに前記電子ハイライタデバイスを係合するステップは、コンピュータによって表示された前記オブジェクトに前記電子ペンの先端を接触させるステップを含むことを特徴とする請求項２５に記載の方法。
【請求項２７】
コンピュータによって表示されたオブジェクトに前記電子ハイライタデバイスを係合するステップは、コンピュータによって表示されたテキストセレクションに前記電子ペンの先端を接触させるステップを含むことを特徴とする請求項２６に記載の方法。
【請求項２８】
コンピュータによって表示されたテキストセレクションに前記電子ペンの先端を接触させるステップは、コンピュータによって表示されたタイプ入力テキストセレクションに前記電子ペンの先端を接触させるステップを含むことを特徴とする請求項２７に記載の方法。
【請求項２９】
コンピュータによって表示されたテキストセレクションに前記電子ペンの先端を接触させるステップは、コンピュータによって表示された手書きテキストセレクションに前記電子ペンの先端を接触させるステップを含むことを特徴とする請求項２７に記載の方法。
【請求項３０】
コンピュータによって表示されたオブジェクトに前記電子ペンの先端を接触させるステップは、コンピュータによって表示された画像に前記電子ペンの先端を接触させるステップを含むことを特徴とする請求項２６に記載の方法。
【請求項３１】
前記電子強調表示デバイスは電子マウス操作デバイスを含むことを特徴とする請求項２０に記載の方法。
【請求項３２】
コンピュータによって表示されたオブジェクトに前記電子ハイライタデバイスを係合するステップは、コンピュータによって表示された前記オブジェクトの上にマウス操作デバイスのカーソルをフォーカスし、前記マウス操作デバイスをクリックするステップを含むことを特徴とする請求項３１に記載の方法。
【請求項３３】
コンピュータによって表示された前記オブジェクトの上に前記マウス操作デバイスのカーソルをフォーカスするステップは、コンピュータによって表示されたテキストセレクション上に前記マウス操作デバイスのカーソルをフォーカスするステップを含むことを特徴とする請求項３２に記載の方法。
【請求項３４】
コンピュータによって表示された前記テキストセレクション上に前記マウス操作デバイスのカーソルをフォーカスするステップは、コンピュータによって表示されたタイプ入力テキストセレクション上に前記マウス操作デバイスのカーソルをフォーカスするステップを含むことを特徴とする請求項３３に記載の方法。
【請求項３５】
コンピュータによって表示された前記テキストセレクション上に前記マウス操作デバイスのカーソルをフォーカスするステップは、コンピュータによって表示された手書きテキストセレクション上に前記マウス操作デバイスのカーソルをフォーカスするステップを含むことを特徴とする請求項３３に記載の方法。
【請求項３６】
コンピュータによって表示された前記オブジェクトの上に前記マウス操作デバイスのカーソルをフォーカスするステップは、コンピュータによって表示された画像上に前記マウス操作カーソルをフォーカスするステップを含むことを特徴とする請求項３２に記載の方法。
【請求項３７】
コンピュータによって表示された前記オブジェクトの高さを決定するステップは、コンピュータによって表示されたテキストセレクションの高さを決定するステップを含むことを特徴とする請求項２０に記載の方法。
【請求項３８】
コンピュータによって表示された前記テキストセレクションの高さを決定するステップは、コンピュータによって表示されたタイプ入力テキストセレクションの高さを決定するステップを含むことを特徴とする請求項３７に記載の方法。
【請求項３９】
コンピュータによって表示された前記タイプ入力テキストセレクションの高さを決定するステップは、コンピュータによって表示された前記タイプ入力テキストセレクションのフォントサイズに基づいて、コンピュータによって表示された前記テキストセレクションの高さを決定するステップを含むことを特徴とする請求項３８に記載の方法。
【請求項４０】
コンピュータによって表示された前記テキストセレクションの高さを決定するステップは、コンピュータによって表示された手書きテキストセレクションの高さを決定するステップを含むことを特徴とする請求項３７に記載の方法。
【請求項４１】
コンピュータによって表示された前記手書きテキストセレクションの高さを決定するステップは、コンピュータによって表示された前記手書きテキストセレクションを備えるどの文字のアセンダまたはディセンダ文字セグメントの長さも考慮せずに、コンピュータによって表示された前記手書きテキストセレクションの平均的な高さを決定するステップを含むことを特徴とする請求項４０に記載の方法。
【請求項４２】
コンピュータによって表示された前記手書きテキストセレクションの高さを決定するステップは、コンピュータによって表示された前記手書きテキストセレクションを備えるどの文字のアセンダまたはディセンダ文字セグメントの長さをも含めた、コンピュータによって表示された前記手書きテキストセレクションの最大高さに基づいて、コンピュータによって表示された前記手書きテキストセレクションの高さを決定するステップを含むことを特徴とする請求項４０に記載の方法。
【請求項４３】
コンピュータによって表示された前記テキストセレクションが、コンピュータによって生成された罫線付き表示上に表示されている場合、コンピュータによって表示された前記テキストセレクションの高さを、コンピュータによって生成された前記表示上に表示された罫線の対の間の距離として決定することを特徴とする請求項３７に記載の方法。
【請求項４４】
コンピュータによって表示された前記オブジェクト上に、前記電子インクを前記決定された高さで塗るステップをさらに含むことを特徴とする請求項２０に記載の方法。
【請求項４５】
コンピュータ実行可能命令を含むコンピュータ可読媒体であって、前記命令はコンピュータによって実行されると電子ハイライタデバイスの電子インクの高さを自動調整し、前記自動調整は、
電子ペンを電子ハイライタデバイスとして機能するように選択するステップと、
コンピュータによって表示されたオブジェクトに前記電子ペンを係合するステップと、
コンピュータによって表示された前記オブジェクトの高さを決定するステップと、
前記電子ペンの電子インクの高さを前記決定された高さに設定するステップと
を含むことを特徴とするコンピュータ可読媒体。
【請求項４６】
コンピュータによって表示された前記オブジェクト上に、前記電子インクを前記決定された高さで塗るステップをさらに含むことを特徴とする請求項４５に記載のコンピュータ可読媒体。
【請求項４７】
電子ペンを電子ハイライタデバイスとして機能するように選択するステップは、電子マウス操作デバイスを電子ハイライタデバイスとして機能するように選択するステップを含み、
コンピュータによって表示されたオブジェクトに前記電子ペンを係合するステップは、コンピュータによって表示された前記オブジェクトの上に前記電子マウス操作デバイスのカーソルをフォーカスし、前記電子マウス操作デバイスをクリックして、コンピュータによって表示された前記オブジェクト上に電子インクが塗られるようにするステップを含むことを特徴とする請求項４５に記載のコンピュータ可読媒体。
【発明の詳細な説明】
【技術分野】
【０００１】
本発明は一般に、コンピュータ環境でデータを入力および操作するための方法およびシステムに関する。より詳細には、本発明は、電子ペンや電子マウス操作デバイスなどの電子入力モードのカーソル高さを自動調整することに関する。
【背景技術】
【０００２】
コンピュータ時代の到来以降、コンピュータによって生成された表示上に表示されるテキストおよびデータをユーザが効率的に入力および操作できるようにするためのハードウェアおよびソフトウェアシステムが開発されてきた。初期のコンピューティングでは、ユーザは主に、様々なキーボードストロークを介して表示テキストおよびデータを操作することに制限されていた。キーボードタッチパッドを含めたマウス操作デバイスの出現は、ユーザがマウスポインタまたはカーソルを表示情報のあちこちに自由に動かしてデータを操作または入力のために選択できるようにすることによって、表示データへのアクセスの向上をユーザにもたらした。最近になり、ユーザが電子ペンをコンピュータ表示画面に接触させることによって、表示テキストおよびデータを選択および操作すること、ならびに自由形式で電子的に筆記することを可能にする、様々なペン／インクシステムが開発されている。
【発明の開示】
【発明が解決しようとする課題】
【０００３】
近年のコンピュータシステムの多くは、ペン入力だけが可能なタブレットと、キーボード入力またはマウス入力だけが可能な従来型のコンピュータとの混成である。このような混成システムでは、キーボード、マウス操作デバイス、電子ペンデバイスを介してデータを入力および操作することができる。このようなシステムによって可能にされるデータ入力および操作の１つに、強調表示がある。すなわち、このようなシステムの多くでは、マウス操作デバイスまたは電子ペンが強調表示ペンとして機能することができ、それによりユーザは、マウスカーソルまたは電子ペンの先端を所望のテキストおよび画像にわたってドラッグすることによって、電子文書のテキストまたは画像を強調表示することができる。残念ながら従来のシステムは、タイプ入力されたテキスト、手書きテキスト、または画像のサイズの違いを考慮しない。例えば、１つの文書が、異なるフォントサイズのタイプ入力テキストと、異なるサイズの手書きテキストと、異なるサイズの画像を含む場合がある。ユーザがハイライタ色の高さを強調表示すべきテキストまたは画像の高さに合わせたい場合、ユーザは、強調表示すべきテキストまたは画像セレクションごとに、マウスカーソルまたは電子ペンのカーソル高さを手動で変更しなければならない。したがって、電子ハイライタのカーソル高さを、強調表示すべきタイプ入力テキストまたは手書きテキストあるいは画像に対して相対的な所望の高さに自動調整するための方法およびシステムが必要とされている。本発明は、これらおよびその他の問題に鑑みて生み出されたものである。
【課題を解決するための手段】
【０００４】
本発明の実施形態は、強調表示すべきタイプ入力テキストまたは手書きテキストあるいは画像の決定された高さに応じて、電子ハイライタのインクまたはカーソルの高さを自動調整することを可能にすることによって、前述および他の問題を解決する。概して述べると、電子ペンやマウス操作デバイスなどの電子ハイライタのハイライタインク高さまたはカーソル高さは、ユーザが強調表示しているテキストまたは画像に基づいて自動調整される。ユーザが、強調表示すべきテキストまたは画像上に電子ハイライタをフォーカスすると、テキストまたは画像の高さが決定され、ハイライタカーソルの高さが調整される。
【０００５】
本発明の態様によれば、ユーザは、ユーザの電子ペンまたはマウス操作デバイスが電子ハイライタとして機能するように、強調表示機能を選択する。ユーザが電子ペンを特定のテキストまたは画像に接触させると、あるいはマウス操作デバイスのカーソルを特定のテキストまたは画像セレクションの上でホバーさせると、テキストまたは画像セレクションの高さが決定される。本発明の一態様によれば、高さは、タイプ入力テキストのフォントサイズから、または手書きテキストの高さから決定される。本発明の別の態様によれば、ハイライタの高さは、アセンダまたはディセンダ文字セグメントの長さを含めない、タイプ入力文字または手書き文字の平均的な高さから決定される。本発明の別の態様によれば、ハイライタの高さは、アセンダ(ascending)またはディセンダ(descending)文字セグメントの長さを含めた、タイプ入力文字または手書き文字の最大高さから決定される。本発明の別の態様によれば、ユーザの表示画面が罫線モードである場合、罫線間の距離がハイライタのカーソル高さとして採用される。
【０００６】
ハイライタのカーソルの高さが決定されると、この高さがハイライタのカーソルに対して設定され、それにより、所与のハイライタ（電子ペンまたはマウス操作デバイス）ストロークの継続時間中、コンピュータによって生成されたページ上にハイライタ色またはインクが描かれる。ユーザが電子ペンをページから持ち上げると、または他の方法でハイライタデバイスを解除すると、決定された高さは廃棄される。ユーザが後続の強調表示動作を開始した場合、後続の強調表示動作に対してハイライタのカーソル高さの決定が繰り返される。
【０００７】
本発明を特徴付けるこれらおよび他の機能および利点は、以下の詳細な記述を読み、関連する図面を検討すれば明らかになるであろう。前述の一般的な記述と以下の詳細な記述は両方とも、例示的および説明的なものにすぎず、特許請求する本発明を限定するものではないことを理解されたい。
【発明を実施するための最良の形態】
【０００８】
上に簡単に述べたように、本発明の実施形態は、タイプ入力テキストまたは手書きテキストの決定された高さに応じて、あるいはコンピュータによって表示されたオブジェクトの決定された高さに応じて、電子ハイライタのカーソルの高さを自動調整することを可能にするための方法およびシステムを対象とする。以下の詳細な記述では、本発明の一部をなす添付の図面を参照するが、図面には例として特定の実施形態または実施例を示す。本発明の趣旨または範囲を逸脱することなく、これらの実施形態を組み合わせてもよく、他の実施形態を利用してもよく、構造上の変更を加えてもよい。したがって、以下の詳細な記述は限定的な意味にとるべきではなく、本発明の範囲は添付の特許請求の範囲およびその均等物によって定義される。
【０００９】
ここで図面を参照して本発明の態様および例示的な動作環境について述べるが、複数の図を通して、同じ番号は同じ要素を表す。図１および以下の考察は、本発明を実施するのに適したコンピューティング環境に関する簡単で一般的な記述を提供するものである。本発明を、パーソナルコンピュータ上のオペレーティングシステム上で稼動するアプリケーションプログラムと共に実行されるプログラムモジュールの一般的なコンテキストで述べるが、本発明をその他のプログラムモジュールと共に実施することもできることは、当業者なら理解するであろう。
【００１０】
一般に、プログラムモジュールは、特定のタスクを実施するか特定の抽象データ型を実現するルーチン、プログラム、コンポーネント、データ構造、その他のタイプの構造を含む。さらに、本発明はハンドヘルドデバイス、マルチプロセッサシステム、マイクロプロセッサベースのまたはプログラム可能な家庭用電子機器、ミニコンピュータ、メインフレームコンピュータなど、その他のコンピュータシステム構成でも実施できることは、当業者なら理解するであろう。本発明は分散コンピューティング環境で実施することもでき、その場合、タスクは通信ネットワークを介してリンクされたリモート処理デバイスによって実施される。分散コンピューティング環境では、プログラムモジュールは、ローカルとリモートの両方のメモリ記憶デバイスに位置することができる。
【００１１】
次に図１に移り、本発明の様々な実施形態を実施するためのパーソナルコンピュータ２の例示的なコンピュータアーキテクチャについて述べる。図１に示すコンピュータアーキテクチャは、従来型のパーソナルコンピュータを例示しており、中央処理装置４（「ＣＰＵ」）と、ランダムアクセスメモリ８（「ＲＡＭ」）および読取り専用メモリ（「ＲＯＭ」）１０を含むシステムメモリ６と、メモリをＣＰＵ４に結合するシステムバス１２とを備える。ＲＯＭ１０には、起動中などにコンピュータ内の要素間で情報を転送するのを助ける基本ルーチンを含むＢＩＯＳ（ｂａｓｉｃ  ｉｎｐｕｔ／ｏｕｔｐｕｔ  ｓｙｓｔｅｍ）が記憶されている。パーソナルコンピュータ２はさらに大容量記憶デバイス１４も備え、この大容量記憶デバイス１４は、オペレーティングシステム１６と、アプリケーションプログラム２０５などのアプリケーションプログラムと、データとを記憶するためのものである。
【００１２】
大容量記憶デバイス１４は、バス１２に接続された大容量記憶コントローラ（図示せず）を介してＣＰＵ４に接続される。大容量記憶デバイス１４およびそれに関連するコンピュータ可読媒体は、パーソナルコンピュータ２に不揮発性記憶域を提供する。本明細書に含まれるコンピュータ可読媒体に関する記述ではハードディスクやＣＤ−ＲＯＭドライブなどの大容量記憶デバイスに言及するが、コンピュータ可読媒体は、パーソナルコンピュータ２からアクセスできる任意の利用可能な媒体とすることができることを、当業者は理解されたい。
【００１３】
限定ではなく例として、コンピュータ可読媒体には、コンピュータ記憶媒体および通信媒体を含めることができる。コンピュータ記憶媒体には、コンピュータ可読命令、データ構造、プログラムモジュール、その他のデータなどの情報を記憶するための任意の方法または技術で実現された、揮発性と不揮発性、取外し可能と固定式の媒体が含まれる。コンピュータ記憶媒体には、限定しないがＲＡＭ、ＲＯＭ、ＥＰＲＯＭ、ＥＥＰＲＯＭ、フラッシュメモリ、またはその他の固体メモリ技術、ＣＤ−ＲＯＭ、ＤＶＤ、またはその他の光記憶装置、磁気カセット、磁気テープ、磁気ディスク記憶装置、またはその他の磁気記憶デバイスが含まれ、あるいは、所望の情報を記憶するのに使用できコンピュータからアクセスできるその他の任意の媒体が含まれる。
【００１４】
本発明の様々な実施形態によれば、パーソナルコンピュータ２は、インターネットなどのＴＣＰ／ＩＰネットワーク１８を介したリモートコンピュータへの論理接続を用いて、ネットワーク化された環境で動作することができる。パーソナルコンピュータ２は、バス１２に接続されたネットワークインタフェースユニット２０を介してＴＣＰ／ＩＰネットワーク１８に接続することができる。ネットワークインタフェースユニット２０は、その他のタイプのネットワークおよびリモートコンピュータシステムに接続するのに利用することもできることを理解されたい。パーソナルコンピュータ２はまた、キーボードやマウス（図示せず）を含めたいくつかの他のデバイスから入力を受け取って処理するための入出力コントローラ２２を備えることもできる。同様に、入出力コントローラ２２は、表示画面、プリンタ、またはその他のタイプの出力デバイスへの出力を提供することもできる。
【００１５】
上に簡単に述べたように、パーソナルコンピュータ２の大容量記憶デバイス１４およびＲＡＭ８には、いくつかのプログラムモジュールおよびデータファイルを記憶することができる。これらには、ワシントン州レドモンドのＭＩＣＲＯＳＯＦＴ  ＣＯＲＰＯＲＡＴＩＯＮから出ているＷＩＮＤＯＷＳＷＩＮＤＯＷＳ（登録商標）オペレーティングシステムなど、ネットワーク化されたパーソナルコンピュータの動作を制御するのに適したオペレーティングシステム１６が含まれる。大容量記憶デバイス１４およびＲＡＭ８はまた、１つまたは複数のアプリケーションプログラムを記憶することもできる。具体的には、大容量記憶デバイス１４およびＲＡＭ８は、電子文書２４を作成および編集するためのアプリケーションプログラム２０５を記憶することができる。例えば、アプリケーションプログラム２０５には、ワードプロセッシングアプリケーションプログラム、表計算アプリケーション、コンタクトアプリケーションなどを含めることができる。図１に示されており本発明の実施形態に適用可能なその他のアプリケーションには、ワードプロセッシングアプリケーション２２０、カレンダアプリケーション２２５および電子メールアプリケーション２６が含まれる。
【００１６】
上に簡単に述べたように、本発明の実施形態は、タイプ入力テキストまたは手書きテキストの決定された高さに応じて、あるいはコンピュータによって表示されたオブジェクトの決定された高さに応じて、電子ハイライタのカーソルまたはインクの高さを自動調整することを可能にする。図２を参照すると、コンピュータ画面表示２００は、従来型のパーソナルコンピュータ、タブレット型コンピュータ、パーソナルディジタルアシスタント、あるいは、テキストまたはデータの表示を可能にし、電子ペン２１０を介したユーザと画面との対話を可能にするその他の任意の電子デバイスの、コンピュータ画面表示を例示している。図２に示すように、電子ペン２１０が画面２０５の表面に接触しているのが示されている。当業者には知られているように、図２に示すような電子ペン／インクシステムでは、ユーザは、電子ペン２１０を利用して画面２０５上に自由形式のテキストを書くことができ、入力済みのテキストにキーボードまたは電子ペンを使用して加筆することができ、何らかのタイプの機能を適用するために画面２０５上に表示されたデータを選択することができる。図２に示すようなコンピュータ画面表示で電子ペン／インクシステムを操作するための機構は、当業者に周知である。
【００１７】
電子ペン２１０に加えて、キーボード２１５および関連するマウス２２０も示されている。マウス２２０などのマウス操作デバイスは、ユーザがカーソルをコンピュータ表示画面２０５のあちこちに動かすこと、テキストおよびデータを挿入するためのポイントを選択および探索すること、フォーマット化またはその他の機能を適用するためにテキストまたはデータを選択することなどを可能にするものとして当業者に周知である。本発明の実施形態によれば、電子ペン２１０およびマウス操作デバイス２２０を選択的にハイライタモードにすることができ、それによりユーザは、電子ペン２１０の先端を画面２０５に対して横方向にドラッグすることによって、またはマウス２２０を動かしてマウスカーソルを画面２０５に対して横方向に動かすことによって、画面２０５上のテキストまたは画像を強調表示することができる。したがって、手動の強調表示ペンの使用では、ユーザは紙の横方向に強調表示ペンの先端をドラッグして、強調表示したいテキストまたは画像上に強調表示インクを紙の横方向に塗るが、この手動の強調表示ペンの使用と同様にして、電子ペン２１０およびマウス操作デバイス２２０を電子的に使用することができる。
【００１８】
引き続き図２を参照すると、１２ポイントフォントでタイプ入力されたタイプ入力文を含む第１のテキストセレクション２２５が示されている。ハイライタモードのハイライタペン２１０が示されており、テキストセレクション２２５に含まれる単語「ｓｅｌｅｃｔｉｏｎ  ｉｎ」２３０を強調表示しているのが示されている。１４ポイントタイプでタイプ入力された第２のテキストセレクション２３５が示されており、電子ペン２１０がテキストセレクション２３５の単語「ｓｅｌｅｃｔｉｏｎ  ｉｎ」２４０を強調表示しているのが示されている。手書きテキストセレクション２４５が示されており、電子ペン２１０がテキストセレクション２４５の単語「ｓｅｌｅｃｔｉｏｎ」２５０を強調表示しているのが示されている。図２に示すように、テキストセレクション２２５と２３５は両方ともタイプ入力テキストセレクションだが、テキストセレクション２３５は１４ポイントタイプで入力されているので、これらのテキストセレクションは高さが異なる。また、テキストセレクション２４５は、電子ペン２１０をペンモードで使用して画面２０５上に手書き入力されているので、テキストセレクション２２５および２３５とは高さが異なる。
【００１９】
図２Ｂに、タイプ入力テキストや手書きテキストなどのオブジェクトの高さに対してハイライタのカーソルまたはインクの高さを変更するための、本発明の実施形態における実際の動作を示す。単語「Ｔｅｘｔ」を含むタイプ入力テキストセレクション２６５が、テキストセレクション２６５の高さに合わせて調整された高さのハイライタインク２７０で強調表示されている。ユーザがペン２１０を手書きテキストセレクション２７５まで動かすと、ハイライタのカーソルまたはインクの高さは自動調整され、したがってインク２８０は手書きテキストセレクション２７５の高さをカバーする。図２Ｂに示すように、電子ペン２１０は、強調表示されるテキストまたはオブジェクトの高さに合致するインクを備えた手動のハイライタペンと同様にして機能する。例えば、手動のハイライタペンから流れるインクは、ユーザのペンストロークに従って「波打っている」場合がある。同様に、電子ペン２１０のストロークによって描かれる電子強調表示インク２７０、２８０も、ユーザの自然なペンストロークに関連する「波打ち」を含めたユーザのペンストロークに従って表示される。すなわち、ユーザが電子ペンをドラッグした場所には電子インクが流れるが、重要なことに、インクの高さは、強調表示されるテキストまたはオブジェクトの高さに合わせて調整される。後で論じるように、本発明の一実施形態によれば、調整されたインク高さは、ユーザが所与のペンストロークを終了してペンを持ち上げるか他の方法で強調表示動作を解除するまで、調整された高さのままである。
【００２０】
図３を参照すると、ユーザが罫線モードの表示を選択した場合のコンピュータ画面表示３００が示されている。すなわち、罫線モードを選択することによって複数の罫線３１２がコンピュータ画面表示３００上に表示され、それにより、コンピュータ画面３００は罫線付きのメモ帳ページまたは紙の様相を呈する。強調表示セクション３１５を有するタイプ入力テキストセレクション３１０が示されており、単語「ａ  ｔｅｘｔ」が電子ペン２１０によって強調表示されている。強調表示セクション３２５を有する手書きテキストセレクション３２０が示されており、電子ペン２１０が選択的にハイライタモードにされた後で、単語「ｈａｎｄｗｒｉｔｉｎｇ」が電子ペン２１０によって強調表示されている。後で図４を参照して述べるが、ハイライタのカーソルの高さは、所与の罫線３１２の対の間の距離に設定することができる。
【００２１】
図２に示した手書きテキストセレクション２４５を再び参照すると、手書きテキストセレクションの一般的な高さ２５５が示されている。本発明の実施形態によれば、手書きテキストセレクションの一般的な高さ２５５は、単語「ｈａｎｄｗｒｉｔｉｎｇ」中の文字「ｇ」のループ状の尾部など、アセンダおよびディセンダ文字セグメントの長さを無視して決定される。後で図４を参照して述べるが、本発明の一実施形態によれば、セレクション２４５などの手書きテキストセレクションで使用するための正しいハイライタのカーソルの高さは、手書きテキストセレクションの一般的な高さ２５５に合わせて調整することができる。あるいは、ハイライタのカーソルの高さは、単語「ｈａｎｄｗｒｉｔｉｎｇ」の文字「ｇ」のループ状の尾部など、アセンダおよびディセンダ文字セグメントの長さを含めた、手書きテキストセレクションの最大高さ２６０に合わせて調整することもできる。手書きテキストセレクション２４５の一般的な高さ２５５を決定するには、統計的に重要なテキスト入力に関連する高さを決定する方法を用いることができる。例えば、テキストセレクション２４５の場合、単語「ｈａｎｄｗｒｉｔｉｎｇ」の一般的な高さ２５５は、文字「ｔ」の上部や文字「ｇ」のループ状の尾部など、アセンダおよびディセンダ文字セグメントを考慮しない場合の、単語「ｈａｎｄｗｒｉｔｉｎｇ」を書くためのテキスト入力の最大高さを考慮することによって決定することができる。手書きテキストセレクション２４５などの手書きテキストの一般的な高さ２５５を決定するための方法およびシステムに関する詳細な考察については、２００２年６月２８日に出願された「Writing Guide For A Free-Form Document Editor」という名称の米国特許出願第１０／１８６３８８号明細書(公開番号２００４０００１６２７号)を参照されたい。
【００２２】
図４は、タイプ入力テキストや手書きテキストや画像など、コンピュータによって表示された強調表示すべきオブジェクトに対して電子ハイライタのカーソルの高さを自動調整するための例示的なルーチンを示す流れ図である。ルーチン４００は、開始ブロック４０５で開始してブロック４１０に進み、ユーザは、電子ペン２１０またはマウス操作デバイス２２０を電子ハイライタとして利用するために強調表示機能を選択する。例示のために、例えばユーザは、図２に示した１２ポイントタイプのテキストセレクション２２５の一部と、１４ポイントタイプのテキストセレクション２３５の一部と、手書きテキストセレクション２４５の一部とを強調表示したいと思っており、また、図３に示したテキストセレクション３１０の一部も強調表示したいと思っていると仮定する。ブロック４１５で、ユーザは、ハイライタペン２１０の先端またはマウス２２０のマウスカーソルを、強調表示すべき所望のテキストの上に配置する。例えば図２を参照すると、ユーザは、テキストセレクション２２５に含まれる単語「ｓｅｌｅｃｔｉｏｎ  ｉｎ」にわたって電子ペンの先端をドラッグしてこれらの単語を強調表示するために、電子ペン２１０の先端を単語「ｓｅｌｅｃｔｉｏｎ  ｉｎ」の始めに配置することができる。ブロック４２０で、強調表示すべきテキストセレクション部分の行の高さが決定される。例えばブロック４２０で、ユーザが電子ペン２１０の先端を単語「ｓｅｌｅｃｔｉｏｎ  ｉｎ」にわたってドラッグしたときに表示２０５上に塗られるハイライタインクのカーソル高さが自動調整されるように、単語「ｓｅｌｅｃｔｉｏｎ  ｉｎ」の行の高さが決定される。
【００２３】
本発明の実施形態によれば、カーソルの高さ、またはハイライタペン２１０によって表示画面２０５上に塗られる電子インクの高さは、強調表示すべきタイプ入力テキストまたは手書きテキストの高さに合わせて自動調整されることが望ましい。すなわち、図２に示すように、タイプ入力テキストセレクション２３０の高さは、テキストセレクション２４０の高さよりも低い。同様に、手書きテキストセレクション２４５の高さも、２つのタイプ入力テキストセレクションとは異なる。カーソルの高さまたは電子ペンハイライタインクの高さは、強調表示すべきテキストセレクションにわたってユーザが電子ペン２１０の先端をドラッグしたときにタイプ入力テキストまたは手書きテキストの高さ全体を強調表示することができるように、調整されることが望ましい。
【００２４】
引き続き図４を参照するが、強調表示すべきテキストセレクションの行の高さをブロック４２０で決定することは、いくつかの代替実施形態に従って決定することができる。第１の実施形態によれば、ルーチンはブロック４２５に進み、テキストセレクション２３０や２４０などのタイプ入力テキストセレクションの高さを、そのテキストセレクションの表示に使用されているフォントサイズから決定することができる。例えば、図２に示したテキストセレクション２２５は１２ポイントタイプで表示されている。図２に示したテキストセレクション２３５は１４ポイントタイプで表示されている。２つのテキストセレクションのフォントサイズ（１２ポイントと１４ポイント）は容易に決定することができるので、テキストセレクションの一部を強調表示するのに使用されるハイライタカーソルの高さを調整するために、これらのテキストセレクションの行の高さも同様に容易に決定することができる。
【００２５】
タイプ入力テキストセレクションの高さが決定された後、ルーチンはブロック４３０に進み、手書きテキストセレクション２４５などの手書きテキストセレクションの高さが決定される。すなわち、前述のように、ユーザが電子ペン２１０の先端を手書きテキストセレクション２４５上に配置すると、手書きセレクションの一般的な高さ２５５を決定することができる。したがって、決定された、強調表示すべき手書きテキストセレクションの一般的な高さ２５５を、図２に示した手書きセレクション２４５の強調表示部分２５０などの手書きセレクションの強調表示に使用されるハイライタのカーソルの高さとして採用することができる。
【００２６】
代替の一実施形態によれば、手書きテキストセレクション２４５を強調表示するためのカーソルの高さは、図２に示した単語「ｈａｎｄｗｒｉｔｉｎｇ」の文字「ｇ」のループ状の尾部など、アセンダおよびディセンダ文字セグメントの高さを含めた、強調表示すべき手書きセレクションの最大高さを計算することによって決定することができる。したがって、このようにして計算されたカーソルの高さは、図２のテキストセレクション２４５に示した単語「ｓｅｌｅｃｔｉｏｎ」など所与のテキストセレクション中の多くの文字よりもやや高いことになるが、このカーソルの高さは、電子ハイライタペン２１０から流れる電子インクが、強調表示すべき手書きテキストセレクションすべてをカバーできることをユーザに保証するのに十分な高さになる。
【００２７】
本発明の代替の一実施形態によれば、電子カーソルの高さは、罫線モードで表示されたコンピュータ画面表示３００上に表示された罫線間の距離から決定することができる。この実施形態によれば、ルーチン４００はブロック４３５に進む。ユーザによって強調表示されることになるテキストの一部を含むテキストセレクションが表示画面３００の罫線３１２間に入力されており、この罫線３１２間の距離が決定される。すなわち、ユーザが電子ペン２１０の先端を、コンピュータ画面表示３００の罫線３１２間に示したテキストセレクション３１０の一部に接触させると、強調表示すべきテキストセレクションを含む罫線間の距離が決定される。したがって、罫線間の距離がカーソルの高さとして採用され、カーソルの高さはこの距離に合わせて自動調整される。ユーザが電子ペン２１０の先端をテキストセレクション３１０にわたってドラッグすると、ハイライタのカーソルの高さは罫線間の距離に等しい高さに自動調整され、それによりユーザは、図３に示した単語「ａ  ｔｅｘｔ」を含む部分３１５など、テキストの一部を強調表示することができる。当業者は理解されたいが、本明細書に述べる方法は、表示画面２０５上に描画またはコピーされた画像を強調表示することにも等しく適用可能である。これは、描画またはコピーされた画像の高さを決定し、ハイライタのカーソルの高さを画像の高さに合わせて自動調整して、ユーザがハイライタのインクを画像の高さに等しい高さで画像上に塗れるようにすることによって可能である。
【００２８】
代替実施形態のうちの１つについて上述したように所望のカーソルの高さが決定されると、ルーチンはブロック４４５に進み、カーソルの高さは決定された高さに設定される。ブロック４５０で、ユーザは決定された高さのハイライタインクを、表示画面２０５に対して横方向に、所望のタイプ入力テキストまたは手書きテキストセレクションにわたって自由に引き、それによりこれらのセレクションを強調表示することができる。所望のタイプ入力テキストまたは手書きテキストをすべて強調表示した後は、ユーザは電子ペン２１０を表示画面２０５から持ち上げることによって、あるいは選択的に電子ペン２１０またはマウス操作デバイス２２０をハイライタモード以外にすることによって、強調表示動作を解除することができる。電子ペン２１０またはマウス操作デバイス２２０がまだハイライタモードである場合は、ユーザは電子ペン２１０の先端またはマウスカーソルを別のテキストセレクション上に配置することによって第２の強調表示動作を開始することができ、カーソルの高さの自動調整が実施されて、強調表示すべき第２のテキストセレクションの高さに合わせてカーソル高さが調整される。すなわち、ユーザによって強調表示されることになる第２のテキストセレクションが前のテキストセレクションよりも高い場合、カーソルの高さは、本明細書に述べたように第２のテキストセレクションの高さに合わせて自動調整される。ユーザは、電子ペン２１０を表示画面２０５から持ち上げることによって、あるいは選択的に電子ペン２１０またはマウス操作デバイス２２０をハイライタモード以外にすることによって、強調表示モードを解除することができる。ルーチンはブロック４９５で終了する。
【００２９】
本明細書に述べたように、コンピュータによって生成された表示画面上で強調表示すべきタイプ入力テキストまたは手書きテキストあるいは画像の決定された高さに応じて、電子ハイライタのカーソルの高さを自動調整するための方法およびシステムが提供される。本発明の範囲または趣旨を逸脱することなく、本発明に様々な修正または変形を加えることができることは、当業者には明らかであろう。本発明の他の実施形態も、本明細書に開示した本発明の仕様および実施を考察すれば当業者には明らかであろう。
【図面の簡単な説明】
【００３０】
【図１】本発明の実施形態のための例示的な動作環境を提供するパーソナルコンピュータのアーキテクチャを示すブロック図である。
【図２】電子ペンと共に使用されるように適合されたコンピュータ画面表示と、コンピュータキーボードおよび関連する入力デバイスとを示す簡略図である。
【図２Ｂ】複数のテキストセレクションを強調表示するための、本発明の実施形態における実際の動作を示す簡略図である。
【図３】コンピュータ画面表示が罫線モードに設定された場合の、電子ペンと共に使用されるように適合されたコンピュータ画面表示と、コンピュータキーボードおよび関連する入力デバイスとを示す簡略図である。
【図４】強調表示すべきタイプ入力テキストまたは手書きテキストあるいは画像に対して電子ハイライタのカーソルの高さを自動調整するための例示的なルーチンを示す流れ図である。
【符号の説明】
【００３１】
４  中央処理装置
６  システムメモリ
８  ランダムアクセスメモリ
１０  読取り専用メモリ
１４  大容量記憶デバイス
１６  オペレーティングシステム
１８  ＴＣＰ／ＩＰネットワーク
２０  ネットワークインタフェースユニット
２２  入出力コントローラ
２６  Ｅメールプログラム
２０５  アプリケーションプログラム、文書
２２０  ワードプロセッサ
２２５  カレンダリングプログラム
【図１】
2005267648.tif 000003
【図２】
2005267648.tif 000004
【図２Ｂ】
2005267648.tif 000005
【図３】
2005267648.tif 000006
【図４】
2005267648.tif 000007
【外国語明細書】
2005267648000001.pdf